(57)【要約】  デジタル放送の受信信号からデジタルデータを復調するデジタルデータ復調部１と、復調されたデジタルデータからデジタル放送の内容を再生するコンテンツ再生部２と、デジタルデータ復調部１が同期する第１のクロックとコンテンツ再生部２が同期する第２のクロックとの差分に関する情報を検出するクロック差検出部３と、第１のクロックと第２のクロックとの差分に関する情報に基づいて、再生されたデジタル放送の内容が所定のレートで出力されるように制御する出力サンプル制御部６とを備える。
2014064781.tif 000002
【特許請求の範囲】
【請求項１】
デジタル放送の受信信号から当該デジタル放送の内容を再生して出力するデジタル放送受信装置において、
前記デジタル放送の受信信号からデジタルデータを復調する復調部と、
前記復調部が復調したデジタルデータから前記デジタル放送の内容を再生する再生部と、
前記復調部が同期する第１のクロックと前記再生部が同期する第２のクロックとの差分に関する情報を検出する検出部と、
前記検出部が検出した前記第１のクロックと前記第２のクロックとの差分に関する情報に基づいて、前記再生部が再生した前記デジタル放送の内容が所定のレートで出力されるように制御する出力制御部とを備えることを特徴とするデジタル放送受信装置。
【請求項２】
前記検出部は、
送信側と同期している前記第１のクロックのクロック数をカウントする第１のカウント部と、
前記第１のカウント部と同時に、前記第２のクロックのクロック数をカウントする第２のカウント部と、
前記第１のカウント部がカウントしたカウント値と基準カウント値とが一致した時点での前記第２のカウント部がカウントしたカウント値と、送信側に同期するクロックのクロック数のカウント値の理想値との差分を算出し、前記第１のカウント部がカウントしたカウント値と前記基準カウント値とが一致する度に前記差分を累積加算するカウント差算出部とを備え、
前記出力制御部は、
前記カウント差算出部が算出した累積加算値を前記差分に関する情報として入力し、
当該累積加算値と所定の閾値とを比較した結果に基づいて、前記再生部が再生した前記デジタル放送の内容が所定のレートで出力されるように制御することを特徴とする請求項１記載のデジタル放送受信装置。
【請求項３】
前記出力制御部は、
前記再生部が再生したデータを順次格納する先入れ先出し方式のメモリ部と、
前記検出部が検出した前記第１のクロックと前記第２のクロックとの差分に関する情報に基づいて、前記デジタル放送の内容が所定のレートで出力されるように、前記メモリ部からのデータの出力を制御するメモリ制御部とを備えることを特徴とする請求項１記載のデジタル放送受信装置。
【請求項４】
前記カウント差算出部は、前記累積加算値と比較する所定の閾値として、前記第１のクロックが前記第２のクロックより早い場合と、前記第２のクロックが前記第１のクロックより早い場合とにそれぞれ応じた複数の閾値を使用することを特徴とする請求項２記載のデジタル放送受信装置。
【請求項５】
前記カウント差算出部は、前記第１のカウント部がカウントするカウント値と一致する周期が、前記デジタル放送の受信信号から復調したデータストリームのフレーム長よりも短い周期になるように設定した基準カウント値を使用することを特徴とする請求項２記載のデジタル放送受信装置。
【請求項６】
前記基準カウント値は、前記第１のカウント部がカウントするカウント値と一致する周期が、前記フレーム長の１／Ｎ（Ｎは２以上の自然数）の周期であることを特徴とする請求項５記載のデジタル放送受信装置。
【請求項７】
前記検出部は、
前記カウント差算出部が算出した累積加算値に応じて前記基準カウント値を動的に変更する基準カウント値制御部を備え、
前記基準カウント値制御部は、
前記カウント差算出部が算出した累積加算値が所定の閾値よりも大きい場合には、前記第１のカウント部がカウントするカウント値と一致させる周期が短くなるように前記基準カウント値を変更することを特徴とする請求項２記載のデジタル放送受信装置。
【請求項８】
前記出力制御部は、
前記検出部が検出した前記第１のクロックと前記第２のクロックとの差分に関する情報に基づいて、前記デジタル放送の内容が所定のレートで出力されるように、前記再生部が再生したデータを所定の単位時間内に出力する内挿比を算出する内挿比算出部と、
前記内挿比算出部が算出した内挿比で内挿処理を施して前記再生部が再生したデータを前記単位時間内に出力するデータの数を増減する内挿処理部とを備えることを特徴とする請求項１記載のデジタル放送受信装置。
【請求項９】
デジタル放送の受信信号から当該デジタル放送の内容を再生して出力するデジタル放送受信方法において、
前記デジタル放送の受信信号からデジタルデータを復調するステップと、
前記復調されたデジタルデータから前記デジタル放送の内容を再生するステップと、
復調に同期する第１のクロックと再生に同期する第２のクロックとの差分に関する情報を検出するステップと、
前記第１のクロックと前記第２のクロックとの差分に関する情報に基づいて、再生した前記デジタル放送の内容が所定のレートで出力されるように制御するステップとを備えることを特徴とするデジタル放送受信方法。
【発明の詳細な説明】
【技術分野】
【０００１】
この発明は、デジタル放送を受信して映像、音声のコンテンツを再生するデジタル放送受信装置およびデジタル放送受信方法に関する。
【背景技術】
【０００２】
デジタル放送受信装置において、受信信号から再生された映像、音声などのコンテンツは、送信側と同一な一定のレートで出力しなければ、歪みなどの不具合が発生して安定した映像、音声を提供できない。このため、一般的には、送信側でデータストリームに基準時刻に関する情報を重畳し、受信側でデータストリームから抽出した基準時刻に関する情報に従ってコンテンツの再生タイミングを逐次制御している。【０００３】
例えば、特許文献１に記載される通信端末は、データストリームを受信する受信部と、この受信部の出力を所定のビットレートで再生する再生部を備えており、再生部が、受信信号からデータストリームを復調し、データストリームに重畳された基準時刻に従って、コンテンツデータを再生する。これにより、映像、音声などのコンテンツを安定して再生することが可能である。
【先行技術文献】
【特許文献】
【０００４】
【特許文献１】特開２００３−２５８７８４号公報
【発明の概要】
【発明が解決しようとする課題】
【０００５】
特許文献１に代表される従来の技術では、データストリームに基準時刻に関する情報が重畳されていることが前提であり、基準時刻に関する情報が重畳されていない場合には、再生したデジタル放送の内容を送信側と同一な一定のレートで出力できないという課題があった。【０００６】
なお、基準時刻を利用しない場合、例えば、受信部と再生部とを、送信側のクロックに同期する共通のクロックまたはその逓倍のクロックで動作させることが考えられる。
すなわち、受信部は、受信信号の復調機能を有するため、本来、送信側に同期したクロックを再生可能である。従って、受信部で送信側に同期したクロックを再生し、このクロックまたはその逓倍のクロックを受信部から再生部に供給すれば、受信部と再生部を送信側に同期して動作させることができる。【０００７】
しかしながら、受信部と再生部が互いに異なるクロックで動作する別々のチップに構成されている場合など、受信部と再生部の構成上、受信部と再生部を同一のクロックで動作させることができない場合は、デジタル放送の内容を送信側と同一な一定のレートで出力することができず、所望の性能を満足できない可能性がある。【０００８】
この発明は、上記のような課題を解決するためになされたもので、デジタル放送の内容を所定のレートで出力することができるデジタル放送受信装置およびデジタル放送受信方法を得ることを目的とする。
【課題を解決するための手段】
【０００９】
この発明に係るデジタル放送受信装置は、デジタル放送の受信信号から当該デジタル放送の内容を再生して出力するデジタル放送受信装置において、デジタル放送の受信信号からデジタルデータを復調する復調部と、復調部が復調したデジタルデータからデジタル放送の内容を再生する再生部と、復調部が同期する第１のクロックと再生部が同期する第２のクロックとの差分に関する情報を検出する検出部と、検出部が検出した第１のクロックと第２のクロックとの差分に関する情報に基づいて、デジタル放送の内容が所定のレートで出力されるように、再生部に再生されたデータの出力を制御する出力制御部とを備えることを特徴とする。
【発明の効果】
【００１０】
この発明によれば、デジタル放送の内容を所定のレートで出力することができるという効果がある。
【図面の簡単な説明】
【００１１】
【図１】この発明に係るデジタル放送受信装置の構成を示すブロック図である。
【図２】実施の形態１に係るデジタル放送受信装置のクロック差検出部の構成を示すブロック図である。
【図３】実施の形態１に係るデジタル放送受信装置の出力サンプル制御部の構成を示すブロック図である。
【図４】実施の形態１に係るデジタル放送受信装置の動作を示すフローチャートである。
【図５】クロック差分累積値に応じた出力サンプル数制御の概要を示す図である。
【図６】この発明の実施の形態２に係るデジタル放送受信装置のクロック差検出部の構成を示すブロック図である。
【図７】この発明の実施の形態３に係るデジタル放送受信装置の出力サンプル制御部の構成を示すブロック図である。
【発明を実施するための形態】
【００１２】
以下、この発明をより詳細に説明するため、この発明を実施するための形態について、添付の図面に従って説明する。
実施の形態１．
図１は、この発明に係るデジタル放送受信装置の構成を示すブロック図である。図１に示すデジタル放送受信装置は、移動体（例えば、車両など）に搭載され、送信されるデータストリームに基準時刻に関する情報が重畳されていないデジタル放送（例えば、欧州デジタルラジオ放送など）を受信する装置である。以降では、この発明に係るデジタル放送受信装置が受信し再生するデジタル放送の内容が映像および音声のコンテンツである場合を例に挙げて説明する。
また、図１に示すデジタル放送受信装置は、その機能構成として、デジタルデータ復調部１、コンテンツ再生部２、第１のクロック生成部３、第２のクロック生成部４、クロック差検出部５および出力サンプル制御部６を備える。
【００１３】
デジタルデータ復調部１は、アンテナを介して受信された受信信号を入力し、この受信信号から所定のデータストリームを復調する復調部である。
コンテンツ再生部２は、デジタルデータ復調部１が復調したデータストリームを入力して、このデータストリームから映像および音声のコンテンツを分離して再生する再生部である。
【００１４】
第１のクロック生成部３は、デジタルデータ復調部１の動作クロックである第１のクロックを生成して当該デジタルデータ復調部１へ供給する。また、第２のクロック生成部４は、コンテンツ再生部２の動作クロックである第２のクロックを生成して当該コンテンツ再生部２へ供給する。クロック差検出部５は、第１のクロック生成部３が生成した第１のクロックと第２のクロック生成部４が生成した第２のクロックとを入力して、両者の差分に関する情報を検出する検出部である。
なお、ここでは、デジタルデータ復調部１および第１のクロック生成部３と、コンテンツ再生部２および第２のクロック生成部４とが別々のチップで構成された場合のように、第１のクロックと第２のクロックとが互いに異なるクロックであることを前提とする。
【００１５】
出力サンプル制御部６は、クロック差検出部５が検出した第１のクロックと第２のクロックの差分に関する情報に基づいて、コンテンツ再生部２に再生されたデジタル放送の内容を表すデジタルデータの出力を制御する出力制御部である。
なお、映像データは、出力サンプル制御部６から不図示の表示制御部に送られ、表示制御部によって不図示の表示部（ディスプレイ）に表示される。また、音声データは、出力サンプル制御部６から不図示の音声出力制御部に送られ、音声出力制御部によって不図示の音出力部（スピーカ）から音声出力される。
表示制御部および音声出力制御部は、出力サンプル制御部６からの単位時間当たりの出力データ数（以下、出力サンプル数と呼ぶ）に応じたレートで映像データおよび音声データを表示部と音出力部に出力してユーザに提示する。このレートが送信側に同期したレートであれば、歪みなどの不具合が発生することなく、映像および音声を適切にユーザに提示できる。
【００１６】
この実施の形態１に係るデジタル放送受信装置においては、出力サンプル制御部６が、クロック差検出部５が検出した第１のクロックと第２のクロックとの差分に関する情報に基づいて、デジタル放送の内容が所定のレートで出力されるようにコンテンツ再生部２に再生されたデータの出力を制御する。このようにすることで、デジタル放送の内容である映像および音声のコンテンツの安定した再生が可能になる。
【００１７】
図２は、実施の形態１に係るデジタル放送受信装置のクロック差検出部の構成を示すブロック図である。図２において、クロック差検出部５は、第１のクロック数カウント部５０、第２のクロック数カウント部５１およびカウント差算出部５２を備えて構成される。
第１のクロック数カウント部５０は、第１のクロック生成部３が生成した第１のクロックを入力して、そのクロック数をカウントする第１のカウント部である。
また、第２のクロック数カウント部５１は、第２のクロック生成部４が生成した第２のクロックを入力して、そのクロック数をカウントする第２のカウント部である。
なお、第１のクロック数カウント部５０と第２のクロック数カウント部５１は、カウント差算出部５２から出力されるリセット信号を契機として同時にカウントを開始し、それぞれがカウントしたカウント値をカウント差算出部５２に逐次出力する。
【００１８】
カウント差算出部５２は、第１のクロック数カウント部５０がカウントしたカウント値と、第２のクロック数カウント部５１がカウントしたカウント値と、基準カウント値とを入力して、基準カウント値を基に第１のクロックと第２のクロックの差分に関する情報を検出する。より詳しく説明すると、カウント差算出部５２は、第１のクロックのカウント値と基準カウント値とが一致した時点の第２のクロックのカウント値を検出し、検出したカウント値と所定の値とを比較して両者の差分を累積加算する。以降では、この累積加算値をクロック差分累積値と呼ぶ。
【００１９】
上記所定の値は、第１のクロックが送信側と同期したクロックであり、第２のクロックの周波数が既知である場合に、基準カウント値に応じて一意に算出される理想値である。
すなわち、所定の値とは、送信側に同期するクロックのクロック数のカウント値の理想値に相当する。
従って、送信側と同期した第１のクロックと第２のクロックとが同期している場合は、カウント差算出部５２の出力はゼロになる。
また、基準カウント値は、第２のクロックにおける第１のクロックとの差を検出する周期を規定するカウント値である。具体的には、第１のクロックの周期と基準カウント値の積が、第２のクロックにおける第１のクロックとの差を検出するための検出周期（クロック数のカウントする基準カウント期間をリセットする周期）を表している。
なお、クロック差検出部５の出力であるクロック差分累積値は、第１のクロックと第２のクロックのクロック差分に比例した値となり、この値に基づいて、コンテンツ再生部２からの再生データを後段の構成へ出力するレートを所望のレートに補正することが可能である。
【００２０】
図３は、図１の出力サンプル制御部の構成を示すブロック図である。図３において、出力サンプル制御部６は、ＦＩＦＯ（Ｆｉｒｓｔ  Ｉｎ  Ｆｉｒｓｔ  Ｏｕｔ）メモリ部６０およびＦＩＦＯ制御部６１を備えて構成される。
ＦＩＦＯメモリ部６０は、コンテンツ再生部２に再生された映像および音声のデジタルデータを入力して格納する、先入れ先出し方式のメモリである。
【００２１】
ＦＩＦＯ制御部６１は、クロック差検出部５が検出したクロック差分累積値に応じて、ＦＩＦＯメモリ部６０に格納したデジタルデータを、所定のレートとなるように出力する制御部である。なお、ＦＩＦＯ制御部６１は、ＦＩＦＯメモリ部６０から出力する出力サンプル数が所定のサンプル数よりも少ない場合は、後続してＦＩＦＯメモリ部６０に格納されたデータを用いて補い、所定のサンプル数以上である場合には、ＦＩＦＯメモリ部６０から出力するタイミングを遅らせることにより、データレートを調整する。
【００２２】
次に動作について説明する。
図４は、実施の形態１に係るデジタル放送受信装置の動作を示すフローチャートであり、実施の形態１に係るデジタル放送受信装置による再生データの出力制御処理を示している。なお、この再生データの出力制御処理では、クロックカウント処理、クロック差分の累積加算処理、クロック差分累積値判定処理、出力サンプル数制御処理が順に実施される。また、これらの一連の処理が実施された後は、再度、クロックカウント処理から順に実施される。以下、各処理について詳細に説明する。
【００２３】
クロックカウント処理では、基準カウント値で規定される、クロック数をカウントする基準カウント期間で、デジタルデータ復調部１が同期する第１のクロックのクロック数とコンテンツ再生部２が同期する第２のクロックのクロック数とがカウントされる。
すなわち、クロック差検出部５の第１のクロック数カウント部５０が、カウント差算出部５２からのリセット信号を契機として、第１のクロックのクロック数をカウントする。
また、第２のクロック数カウント部５１も、カウント差算出部５２からのリセット信号を契機として、第１のクロック数カウント部５０と同時に、第２のクロックのクロック数をカウントする。この処理が、ステップＳＴ１に相当する。
【００２４】
クロック差分の累積加算処理では、クロックカウント処理でカウントされた第１のクロックのクロック数のカウント値と第２のクロックのクロック数のカウント値との差分に関する情報（上記差分に相当する値）を検出し、この値を累積加算してクロック差分累積値を得る。
すなわち、カウント差算出部５２が、第１のクロックのクロック数のカウント値と基準カウント値とが一致した時点での第２のクロックのクロック数のカウント値を検出して、このカウント値と所定の値との差分を算出して累積加算する。
なお、この所定の値は、送信側に同期するクロックが基準カウント値に一致したときのクロック数のカウント値の理想値に相当する。ここまでの処理がステップＳＴ２である。
【００２５】
クロック差分累積値判定処理においては、クロック差分累積値が“所定の閾値１を超えているか”、“所定の閾値２（＜閾値１）未満であるか”、もしくは、“閾値１以下かつ閾値２以上であるか”を判定する。具体的には、出力サンプル制御部６のＦＩＦＯ制御部６１が、クロック差検出部５に検出されたクロック差分累積値が所定の閾値１を超えるか否かを判定する（ステップＳＴ３）。
クロック差分累積値が所定の閾値１を超える場合（ステップＳＴ３；ＹＥＳ）に、ＦＩＦＯ制御部６１は、ＦＩＦＯメモリ部６０に所定のデータブロック単位で格納された再生データの出力サンプル数を増やすことでレートを調整する（ステップＳＴ４）。この後、ステップＳＴ１の処理に戻り、クロックカウント処理から上記処理を順に実施する。
【００２６】
一方、クロック差分累積値が所定の閾値１以下である場合（ステップＳＴ３；ＮＯ）、ＦＩＦＯ制御部６１は、クロック差検出部５により検出されたクロック差分累積値が所定の閾値２未満であるか否かを判定する（ステップＳＴ５）。
ここで、クロック差分累積値が所定の閾値２未満である場合（ステップＳＴ５；ＹＥＳ）、ＦＩＦＯ制御部６１は、ＦＩＦＯメモリ部６０に所定のデータブロック単位で格納された再生データの出力サンプル数を減らすことでレートを調整する（ステップＳＴ６）。この後、ステップＳＴ１の処理に戻って、クロックカウント処理から上記処理を順に実施する。
【００２７】
クロック差分累積値が閾値１以下かつ閾値２以上である場合（ステップＳＴ５；ＮＯ）、ＦＩＦＯ制御部６１は、ＦＩＦＯメモリ部６０からの出力サンプル数を増減させずに、コンテンツ再生部２からの入力タイミングに応じて、ＦＩＦＯメモリ部６０からデータを出力させる。この後、ステップＳＴ１の処理に戻り、クロックカウント処理から上記処理を順に実施する。
【００２８】
図５は、クロック差分累積値に応じた出力サンプル数制御の概要を示す図であり、図４の処理を実施した際の時間経過に伴ったクロック差分累積値の関係を示している。図５において、太線ａは、クロック差分累積値の時間変化を示しており、第２のクロックが第１のクロックよりも早い場合に相当する。また、一点破線ｂは、第１のクロックが第２のクロックより早い場合における、クロック差分累積値の時間変化を示している。
なお、クロック差分累積値は、第２のクロックのクロック数のカウント値から所定の値（送信側に同期するクロック（第１のクロックに相当する）のクロック数のカウント値の理想値）を引いた差分の累積値である。
【００２９】
例えば、第２のクロックが第１のクロックよりも早い場合、太線ａに示すように、時間経過とともにクロック差分累積値が上昇する。このとき、出力サンプル制御部６は、クロック差分累積値が閾値１に達するまで出力サンプル数を制御せず、第２のクロックに同期するコンテンツ再生部２からの再生データを所定のデータブロック単位で蓄積して送信側の所定のレートよりも高いレートでデータ出力している。
クロック差分累積値が閾値１に達すると、出力サンプル制御部６は、出力サンプル数を増やす制御を行ってデータ出力が送信側の所定のレートに合うように調整する。ここで、クロック差分累積値はゼロに初期化され、再びクロック差分累積値の算出が開始される。このようにして、クロック差分累積値が閾値１に達する度に出力サンプル数の制御が実施される。
【００３０】
なお、累積クロック差分限界値１とは、図５に点線で示すように、コンテンツ再生部２からの再生データが、送信側の所定のレートよりも高いレートで出力され続けたことで、出力レートのずれによってデジタル放送の内容である映像および音声に歪みなどの不具合が発生してしまうクロック差分累積値の限界値である。
閾値１は、累積クロック差分限界値１に達するまでの出力レートのずれによって不具合が発生すること可能性を考慮して、確実に不具合が発生しない範囲で定めたクロック差分累積値の閾値である。
【００３１】
また、第１のクロックが第２のクロックより早い場合も同様に、一点破線ｂに示すように、時間経過とともにクロック差分累積値が上昇する。このとき、出力サンプル制御部６は、クロック差分累積値が閾値２に達するまで、コンテンツ再生部２からの再生データを所定のデータブロック単位で蓄積して送信側の所定のレートより低いレートでデータ出力している。クロック差分累積値が閾値１に達すると、出力サンプル制御部６は、出力サンプル数を減らす制御を行ってデータ出力が送信側の所定のレートに合うように調整する。ここで、クロック差分累積値はゼロに初期化され、再びクロック差分累積値の算出が開始される。このように、クロック差分累積値が閾値２に達する度に出力サンプル数の制御が実施される。
なお、累積クロック差分限界値２とは、コンテンツ再生部２からの再生データが、送信側の所定のレートより低いレートで出力され続けたことで、出力レートのずれによって、デジタル放送の内容である映像および音声に歪みなどの不具合が発生してしまうクロック差分累積値の限界値である。
閾値２は、累積クロック差分限界値２に達するまでの出力レートのずれによって不具合が発生すること可能性を考慮して、確実に不具合が発生しない範囲で定めたクロック差分累積値の閾値である。
【００３２】
上述のように出力サンプル数を制御している間は、出力サンプル数が増減されるため、出力レートが不安定になり、この間に若干の映像または音声の乱れが生じる可能性がある。そこで、第１のクロックの周期と基準カウント値との積で表される検出周期を、この発明に係るデジタル放送受信装置が受信するデジタル放送に固有に規定される所定のフレーム長よりも短くなるように基準カウント値を設定してもよい。
このようにすることで、所定のフレーム長よりも短い周期でクロック差分が検出されるため、出力サンプル制御部６が出力を制御する周期がフレーム長よりも短くなり、データストリームのうち、出力サンプル数が制御されないフレームを確保することができる。
すなわち、コンテンツの提示内容が劣化する可能性がないフレームを確保できる。
【００３３】
さらに、具体的に、第１のクロックの周期と基準カウント値の積で表される検出周期が、上記フレーム長の１／Ｎ（Ｎは２以上の自然数）となるように基準カウント値を設定してもよい。このようにすることで、所定のフレーム長よりも短い周期でクロック差分が検出されるため、データストリームのうち、出力サンプル数が制御されないフレームを確保することができる。これにより、コンテンツの提示内容が劣化する可能性がないフレームを確保できる。また、フレーム長の１／Ｎにすることで、Ｎ回ずつカウントしていくだけの簡易な回路で実現できるため、回路規模または信号処理の演算数を低減することが可能である。
【００３４】
以上のように、この実施の形態１によれば、図１のように構成したデジタル放送受信装置において、デジタル放送の受信信号からデジタルデータを復調し、復調されたデジタルデータからデジタル放送の内容を再生し、復調に同期する第１のクロックと再生に同期する第２のクロックとの差分に関する情報を検出し、第１のクロックと第２のクロックとの差分に関する情報に基づいて、コンテンツ再生部２が再生したデジタル放送の内容が所定のレートで出力されるように制御する。
このようにすることで、受信信号から復調したデータストリームに基準時刻が挿入されておらず、コンテンツ再生部２が前段の信号処理（復調処理）とは異なるクロックで動作している場合であっても、データストリームから再生されたデータを所定のレートで出力することができる。これにより、同一のクロックに同期して動作するようにデジタルデータの復調とコンテンツの再生とを１つのチップで実現しなくてもよく、デジタル放送受信装置の構成上の自由度を向上させることができる。
【００３５】
また、この実施の形態１によれば、クロック差検出部５が、送信側と同期している第１のクロックのクロック数をカウントする第１のクロック数カウント部５０と、第１のクロック数カウント部５０と同時に、第２のクロックのクロック数をカウントする第２のクロック数カウント部５１と、第１のクロック数カウント部５０がカウントしたカウント値と基準カウント値とが一致した時点で第２のクロック数カウント部５１がカウントしたカウント値と、送信側に同期するクロックのクロック数のカウント値の理想値との差分を算出し、第１のクロック数カウント部５０がカウントしたカウント値と基準カウント値とが一致する度に差分をクロック差分累積加算値として累積加算するカウント差算出部５２とを備え、出力サンプル制御部６が、カウント差算出部５２が算出したクロック差分累積加算値を差分に関する情報として入力し、当該クロック差分累積加算値と所定の閾値とを比較した結果に基づいて、コンテンツ再生部２が再生したデジタル放送の内容が所定のレートで出力されるように制御する。
このように構成することで、受信信号から復調したデータストリームに基準時刻が挿入されておらず、コンテンツ再生部２が前段の信号処理（復調処理）とは異なるクロックで動作している場合であっても、データストリームから再生されたデータを所定のレートで出力することができる。
【００３６】
さらに、この実施の形態１によれば、出力サンプル制御部６が、コンテンツ再生部２が再生したデータを順次格納する先入れ先出し方式のＦＩＦＯメモリ部６０と、クロック差検出部５が検出した第１のクロックと第２のクロックとの差分に関する情報に基づいて、デジタル放送の内容が所定のレートで出力されるように、ＦＩＦＯメモリ部６０からのデータの出力を制御するＦＩＦＯ制御部６１とを備える。
このように構成することで、受信信号から復調したデータストリームに基準時刻が挿入されておらず、コンテンツ再生部２が前段の信号処理（復調処理）とは異なるクロックで動作している場合であっても、データストリームから再生されたデータを所定のレートで出力することができる。
【００３７】
さらに、この実施の形態１によれば、カウント差算出部５２が、クロック差分累積加算値と比較する所定の閾値として、第１のクロックが第２のクロックより早い場合と、第２のクロックが第１のクロックより早い場合とにそれぞれ応じた複数の閾値（閾値１，２）を使用する。このようにすることで、第１のクロックが第２のクロックより早い場合と、第２のクロックが第１のクロックより早い場合との双方に応じた適切な出力サンプル数の制御が可能となる。
【００３８】
さらに、この実施の形態１によれば、カウント差算出部５２が、第１のクロック数カウント部５０がカウントするカウント値と一致する周期が、デジタル放送の受信信号から復調したデータストリームのフレーム長より短い周期になるように設定された基準カウント値を使用するので、データストリームにおけるフレームのうちに、出力サンプル制御部６が出力サンプル数を制御しないフレームを確保することができる。これにより、コンテンツの提示内容が劣化する可能性がないフレームを確保できる。
【００３９】
さらに、この実施の形態１によれば、基準カウント値が、第１のクロック数カウント部５０がカウントするカウント値と一致する周期が、フレーム長の１／Ｎ（Ｎは２以上の自然数）の周期になるように設定されているので、データストリームにおけるフレームのうちに、出力サンプル制御部６が出力サンプル数を制御しないフレームを確保することができる。これにより、コンテンツの提示内容が劣化する可能性がないフレームを確保できる。また、Ｎ回ずつカウントしていくだけの簡易な回路で実現できるため、回路規模または信号処理の演算数を低減することが可能である。
【００４０】
実施の形態２．
図６は、この発明の実施の形態２に係るデジタル放送受信装置のクロック差検出部の構成を示すブロック図である。図６に示すように、実施の形態２に係るクロック差検出部５Ａは、実施の形態１で示した図２の構成に、基準カウント値制御部５３を追加した構成を有する。基準カウント値制御部５３は、カウント差算出部５２が算出したクロック差分累積加算値に応じて、基準カウント値を動的に変更する機能を有する。基準カウント値は、実施の形態１で説明したように、第２のクロックにおける、第１のクロックとの差分を検出する周期を規定する値である。なお、図６において、図２と同一の構成要素には、同一符号を付して説明を省略する。
【００４１】
基準カウント値制御部５３は、例えば、カウント差算出部５２が算出したクロック差分累積値が所定の上限閾値よりも大きい場合、従前の値より基準カウント値が小さくなるように変更する。これにより、クロック差分累積値が大きい、すなわち第１のクロックと第２のクロックとの差が大きい場合には、基準カウント値で規定される検出周期（出力サンプル数の制御を行う周期に相当する）を短くして、検出頻度（出力サンプル数の制御頻度に相当する）を上げることができ、安定したコンテンツ内容の出力が可能となる。
【００４２】
また、クロック差分累積値が所定の上限閾値以下かつ所定の下限閾値より大きい場合、基準カウント値を従前の値のままとする。
クロック差分累積値から、第１のクロックと第２のクロックの差が出力サンプル数の制御が不要なほどに小さいと判定される場合には、基準カウント値を従前の値よりも大きくして検出周期を長くしてもよい。
さらに、クロック差分累積値が所定の下限閾値以下となり、第１のクロックと第２のクロックとの差が大きくなった場合には、上記と同様に、従前の値よりも基準カウント値が小さくなるように変更して検出周期を短くする。
【００４３】
以上のように、この実施の形態２によれば、クロック差検出部５Ａが、カウント差算出部５２が算出したクロック差分累積加算値に応じて基準カウント値を動的に変更する基準カウント値制御部５３を備え、基準カウント値制御部５３が、カウント差算出部５２が算出したクロック差分累積加算値が所定の閾値よりも大きい場合には、第１のクロック数カウント部５０がカウントするカウント値と一致させる周期が短くなるように基準カウント値を変更する。このように構成することで、第１のクロックと第２のクロックの差が大きい場合には、基準カウント値で規定される検出周期を短くして出力サンプル数を制御する頻度を上げることができ、安定したコンテンツ内容の出力が可能となる。
【００４４】
実施の形態３．
図７は、この発明の実施の形態３に係るデジタル放送受信装置の出力サンプル制御部の構成を示すブロック図である。実施の形態３に係る出力サンプル制御部６Ａは、実施の形態１で示した図３の構成の代わりに、内挿比算出部６２およびサンプルデータ内挿部６３を有する。内挿比算出部６２は、クロック差検出部５が検出した第１のクロックと第２のクロックとの差分に関する情報（クロック差分累積値）に基づいて、デジタル放送の内容が所定のレートで出力されるように、コンテンツ再生部２に再生されたデータを所定の単位時間内に出力する内挿比を算出する。また、サンプルデータ内挿部６３は、内挿比算出部６２が算出した内挿比で内挿処理を施して、コンテンツ再生部２に再生されたデータを単位時間内に出力するデータの数を増減する内挿処理部である。
【００４５】
実施の形態１に係る出力サンプル制御部６では、ＦＩＦＯメモリ部６０から再生データを出力するタイミングを調整することで、出力サンプル数を制御していた。
この実施の形態３では、サンプルデータ内挿部６３が、内挿比算出部６２によって算出された内挿比に応じた出力サンプル数のデータを生成して出力する。従って、内挿比に応じて、より緻密な出力サンプル数の制御が可能である。
【００４６】
以上のように、この実施の形態３によれば、出力サンプル制御部６Ａが、クロック差検出部５が検出した第１のクロックと第２のクロックとの差分に関する情報に基づいて、デジタル放送の内容が所定のレートで出力されるように、コンテンツ再生部２に再生されたデータを所定の単位時間内に出力する内挿比を算出する内挿比算出部６２と、内挿比算出部６２が算出した内挿比で内挿処理を施して、コンテンツ再生部２に再生されたデータを単位時間内に出力するデータの数を増減するサンプルデータ内挿部６３とを備える。
このように構成することで、受信信号から復調したデータストリームに基準時刻が挿入されておらず、コンテンツ再生部２が前段の信号処理（復調処理）とは異なるクロックで動作している場合であっても、データストリームから再生されたデータを所定のレートで出力することができる。
【００４７】
上記実施の形態３に係る出力サンプル制御部６Ａは、図２に示すクロック差検出部５を有するデジタル放送受信装置に適用してもよく、図６に示すクロック差検出部５Ａを有するデジタル放送受信装置に適用してもよい。双方の場合でも、上記実施の形態１と同様の効果を得ることができる。
【００４８】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４９】
この発明に係るデジタル放送受信装置は、データストリームに基準時刻に関する情報が重畳されていない場合であっても、デジタル放送の受信信号から再生したコンテンツを、所定のレートで出力することができるので、例えば、車両が走行する場所に応じて様々な仕様のデジタル放送を受信可能な車載用のデジタル放送受信装置に好適である。
【符号の説明】
【００５０】
１  デジタルデータ復調部、２  コンテンツ再生部、３  第１のクロック生成部、４  第２のクロック生成部、５，５Ａ  クロック差検出部、６，６Ａ  出力サンプル制御部、５０  第１のクロック数カウント部、５１  第２のクロック数カウント部、５２  カウント差算出部、５３  基準カウント値制御部、６０  ＦＩＦＯメモリ部、６１  ＦＩＦＯ制御部、６２  内挿比算出部、６３  サンプルデータ内挿部。
【図１】
2014064781.tif 000003
【図２】
2014064781.tif 000004
【図３】
2014064781.tif 000005
【図４】
2014064781.tif 000006
【図５】
2014064781.tif 000007
【図６】
2014064781.tif 000008
【図７】
2014064781.tif 000009
【手続補正書】
【提出日】平成26年11月7日(2014.11.7)
【手続補正１】
【補正対象書類名】明細書
【補正対象項目名】０００９
【補正方法】変更
【補正の内容】
【０００９】
この発明に係るデジタル放送受信装置は、デジタル放送の受信信号から当該デジタル放送の内容を再生して出力するデジタル放送受信装置において、デジタル放送の受信信号からデジタルデータを復調する復調部と、復調部が復調したデジタルデータからデジタル放送の内容を再生する再生部と、復調部が同期する第１のクロックと再生部が同期する第２のクロックとの差分に関する情報を検出する検出部と、検出部が検出した第１のクロックと第２のクロックとの差分に関する情報に基づいて、デジタル放送の内容が所定のレートで出力されるように、再生部に再生されたデータの出力を制御する出力制御部とを備え、検出部は、送信側と同期している第１のクロックのクロック数をカウントする第１のカウント部と、第１のカウント部と同時に、第２のクロックのクロック数をカウントする第２のカウント部と、第１のカウント部がカウントしたカウント値と基準カウント値とが一致した時点での第２のカウント部がカウントしたカウント値と、送信側に同期するクロックのクロック数のカウント値の理想値との差分を算出し、第１のカウント部がカウントしたカウント値と基準カウント値とが一致する度に当該差分を累積加算するカウント差算出部とをさらに備え、出力制御部は、検出部が検出した第１のクロックと第２のクロックとの差分に関する情報に基づいて、デジタル放送の内容が所定のレートで出力されるように、再生部が再生したデータを所定の単位時間内に出力する内挿比を算出する内挿比算出部と、内挿比算出部が算出した内挿比で内挿処理を施して再生部が再生したデータを単位時間内に出力するデータの数を増減する内挿処理部とをさらに備え、カウント差算出部が算出した累積加算値を差分に関する情報として入力し、当該累積加算値と所定の閾値とを比較した結果に基づいて、再生部が再生したデジタル放送の内容が所定のレートで出力されるように制御することを特徴とする。
【手続補正２】
【補正対象書類名】特許請求の範囲
【補正対象項目名】全文
【補正方法】変更
【補正の内容】
【特許請求の範囲】
【請求項１】
デジタル放送の受信信号から当該デジタル放送の内容を再生して出力するデジタル放送受信装置において、
前記デジタル放送の受信信号からデジタルデータを復調する復調部と、
前記復調部が復調したデジタルデータから前記デジタル放送の内容を再生する再生部と、
前記復調部が同期する第１のクロックと前記再生部が同期する第２のクロックとの差分に関する情報を検出する検出部と、
前記検出部が検出した前記第１のクロックと前記第２のクロックとの前記差分に関する情報に基づいて、前記再生部が再生した前記デジタル放送の内容が所定のレートで出力されるように制御する出力制御部とを備え、
前記検出部は、
送信側と同期している前記第１のクロックのクロック数をカウントする第１のカウント部と、前記第１のカウント部と同時に、前記第２のクロックのクロック数をカウントする第２のカウント部と、前記第１のカウント部がカウントしたカウント値と基準カウント値とが一致した時点での前記第２のカウント部がカウントしたカウント値と、送信側に同期するクロックのクロック数のカウント値の理想値との差分を算出し、前記第１のカウント部がカウントしたカウント値と前記基準カウント値とが一致する度に当該差分を累積加算するカウント差算出部とをさらに備え、
前記出力制御部は、
前記検出部が検出した前記第１のクロックと前記第２のクロックとの前記差分に関する情報に基づいて、前記デジタル放送の内容が所定のレートで出力されるように、前記再生部が再生したデータを所定の単位時間内に出力する内挿比を算出する内挿比算出部と、
前記内挿比算出部が算出した内挿比で内挿処理を施して前記再生部が再生したデータを前記単位時間内に出力するデータの数を増減する内挿処理部とをさらに備え、
前記カウント差算出部が算出した累積加算値を前記差分に関する情報として入力し、
当該累積加算値と所定の閾値とを比較した結果に基づいて、前記再生部が再生した前記デジタル放送の内容が所定のレートで出力されるように制御することを特徴とするデジタル放送受信装置。
【請求項２】
前記カウント差算出部は、前記累積加算値と比較する所定の閾値として、前記第１のクロックが前記第２のクロックより早い場合と、前記第２のクロックが前記第１のクロックより早い場合とにそれぞれ応じた複数の閾値を使用することを特徴とする請求項１記載のデジタル放送受信装置。
【請求項３】
前記カウント差算出部は、前記第１のカウント部がカウントするカウント値と一致する周期が、前記デジタル放送の受信信号から復調したデータストリームのフレーム長よりも短い周期になるように設定した前記基準カウント値を使用することを特徴とする請求項１記載のデジタル放送受信装置。
【請求項４】
前記基準カウント値は、前記第１のカウント部がカウントするカウント値と一致する周期が、前記フレーム長の１／Ｎ（Ｎは２以上の自然数）の周期であることを特徴とする請求項３記載のデジタル放送受信装置。
【請求項５】
前記検出部は、
前記カウント差算出部が算出した前記累積加算値に応じて前記基準カウント値を動的に変更する基準カウント値制御部を備え、
前記基準カウント値制御部は、
前記カウント差算出部が算出した前記累積加算値が所定の閾値よりも大きい場合には、前記第１のカウント部がカウントするカウント値と一致させる周期が短くなるように前記基準カウント値を変更することを特徴とする請求項１記載のデジタル放送受信装置。
【請求項６】
デジタル放送の受信信号から当該デジタル放送の内容を再生して出力するデジタル放送受信方法において、
復調部が、前記デジタル放送の受信信号からデジタルデータを復調するステップと、
再生部が、前記復調されたデジタルデータから前記デジタル放送の内容を再生するステップと、
検出部が、復調に同期する第１のクロックと再生に同期する第２のクロックとの差分に関する情報を検出するステップと、
出力制御部が、前記第１のクロックと前記第２のクロックとの前記差分に関する情報に基づいて、再生した前記デジタル放送の内容が所定のレートで出力されるように制御するステップとを備え、
前記検出部は、
送信側と同期している前記第１のクロックのクロック数をカウントする第１のカウント部と、前記第１のカウント部と同時に、前記第２のクロックのクロック数をカウントする第２のカウント部と、前記第１のカウント部がカウントしたカウント値と基準カウント値とが一致した時点での前記第２のカウント部がカウントしたカウント値と、送信側に同期するクロックのクロック数のカウント値の理想値との差分を算出し、前記第１のカウント部がカウントしたカウント値と前記基準カウント値とが一致する度に当該差分を累積加算するカウント差算出部とをさらに備え、
前記出力制御部は、
前記検出部が検出した前記第１のクロックと前記第２のクロックとの前記差分に関する情報に基づいて、前記デジタル放送の内容が所定のレートで出力されるように、前記再生部が再生したデータを所定の単位時間内に出力する内挿比を算出する内挿比算出部と、
前記内挿比算出部が算出した内挿比で内挿処理を施して前記再生部が再生したデータを前記単位時間内に出力するデータの数を増減する内挿処理部とをさらに備え、
前記カウント差算出部が算出した累積加算値を前記差分に関する情報として入力し、
当該累積加算値と所定の閾値とを比較した結果に基づいて、前記再生部が再生した前記デジタル放送の内容が所定のレートで出力されるように制御することを特徴とするデジタル放送受信方法。
【国際調査報告】
2014064781.tif 000010
2014064781.tif 000011
2014064781.tif 000012
2014064781.tif 000013